(57)【特許請求の範囲】
【請求項１】
沸点範囲が１５０〜４５０℃であって、主成分が下記一般式（Ｉ）
【化１】
0003582886.tif 000006
（式中、Ｒ1はメチル基、エチル基、プロピル基またはブチル基、Ｒ2はプロピル基またはブチル基、mは１〜３、nは１〜３で、置換基の位置は問わない）で表される少なくとも１種のアルキルナフタレン化合物と脂肪族化合物とを３：７〜７：３の重量比割合で混合した溶剤を主成分とすることからなる光学部品用洗浄剤。
【請求項２】
請求項１に記載の脂肪族化合物がノルマルパラフィンであることを特徴とする光学部品用洗浄剤。
【発明の詳細な説明】
【０００１】
【産業上の利用分野】
本発明は、光学部品用洗浄剤、特には、光学レンズや光学プリズム等の光学部品を研磨、加工する際に、仮固定あるいは表面を保護するために用いたアスファルトピッチ、樹脂やワックス類を研磨、加工後に、洗浄、除去するための光学部品用洗浄剤に関する。
【０００２】
【従来の技術】
従来、光学部品用洗浄剤としては、例えばパークロルエチレン、トリクロロエチレン、塩化メチレンなどの塩素系洗浄剤が用いられていた。このような光学部品用洗浄剤は、オゾン層破壊等の環境問題や毒性を有するために、代替品の開発が切望されていた。代替洗浄剤のうち低沸点の芳香族溶剤は、臭気が強く、引火点が低いなどの欠点を有しており、一方、高沸点の芳香族溶剤は、臭気は非常に弱く、引火点も高いが、常温での動粘度が高いために汚れが拡散しにくく、加熱下に使用しなければならないという問題があり、また脂肪族溶剤は、強固に付着した汚れは、ほとんど除去できず、満足できる代替の光学部品用洗浄剤はいまだなかった。
【０００３】
【発明が解決しようとする課題】
本発明は、上記課題を解決するもので、本発明の目的は、塩素系化合物を含まず、研磨、加工する際に表面に付着したアスファルトピッチ、樹脂やワックス類等を洗浄、除去するための洗浄力の優れた光学部品用洗浄剤を提供することにある。
【０００４】
【課題を解決するための手段】
上記目的を達成するための手段としての本発明は、沸点範囲１５０〜４５０℃であって、主成分が下記一般式（Ｉ）
【化２】
0003582886.tif 000002
（式中、Ｒ1はメチル基、エチル基、プロピル基またはブチル基、Ｒ2はプロピル基またはブチル基、mは１〜３、nは１〜３で、置換基の位置は問わない）で表される少なくとも１種のアルキルナフタレン化合物と、脂肪族化合物、好ましくはノルマルパラフィンとを３：７〜７：３の重量比割合で混合した溶剤を主成分とすることからなるものである。
【０００５】
上記アルキルナフタレン化合物は、アスファルトピッチ、樹脂やワックス類に対する溶解力は高い。しかしながら、浸透力が弱いため、光学部品からアスファルトピッチ等を剥がす能力は小さく、このアルキルナフタレン化合物のみでは、洗浄スピードが遅い。なお、このアルキルナフタレン化合物は、アスファルトピッチ等の溶解力が高く、しかも臭気が非常に弱い。
【０００６】
上記式（Ｉ）のアルキルナフタレン化合物、すなわちナフタレン環に１〜３個のメチル基、エチル基、プロピル基またはブチル基が付加したものに、１〜３個のプロピル基またはブチル基が付加したものであるが、これらの化合物としては、メチルプロピルナフタレン、ジメチルプロピルナフタレン、トリメチルプロピルナフタレン、メチルジプロピルナフタレン、ジメチルジプロピルナフタレン、トリメチルジプロピルナフタレン、メチルトリプロピルナフタレン、ジメチルトリプロピルナフタレン、トリメチルトリプロピルナフタレン、エチルプロピルナフタレン、ジエチルプロピルナフタレン、トリエチルプロピルナフタレン、エチルジプロピルナフタレン、ジエチルジプロピルナフタレン、トリエチルジプロピルナフタレン、エチルトリプロピルナフタレン、ジエチルトリプロピルナフタレン、トリエチルトリプロピルナフタレン、ジプロピルナフタレン、トリプロピルナフタレン、テトラプロピルナフタレン、ペンタプロピルナフタレン、ヘキサプロピルナフタレン、プロピルブチルナフタレン、ジプロピルブチルナフタレン、トリプロピルブチルナフタレン、プロピルジブチルナフタレン、ジプロピルジブチルナフタレン、トリプロピルジブチルナフタレン、プロピルトリブチルナフタレン、ジプロピルトリブチルナフタレン、トリプロピルトリブチルナフタレン、ジブチルナフタレン、トリブチルナフタレン、テトラブチルナフタレン、ペンタブチルナフタレン、ヘキサブチルナフタレン、メチルエチルプロピルナフタレン、ジメチルエチルプロピルナフタレン、メチルジエチルプロピルナフタレン、メチルエチルジプロピルナフタレン、ジメチルエチルジプロピルナフタレン、メチルジエチルジプロピルナフタレン、メチルエチルトリプロピルナフタレン、ジメチルエチルトリプロピルナフタレン、メチルジエチルトリプロピルナフタレン、メチルエチルブチルナフタレン、ジメチルエチルブチルナフタレン、メチルジエチルブチルナフタレン、メチルエチルジブチルナフタレン、ジメチルエチルジブチルナフタレン、メチルジエチルジブチルナフタレン、メチルエチルトリブチルナフタレン、ジメチルエチルトリブチルナフタレン、メチルジエチルトリブチルナフタレン、メチルプロピルブチルナフタレン、ジメチルプロピルブチルナフタレン、メチルジプロピルブチルナフタレン、メチルプロピルジブチルナフタレン、ジメチルプロピルジブチルナフタレン、メチルジプロピルジブチルナフタレン、メチルプロピルトリブチルナフタレン、ジメチルプロピルトリブチルナフタレン、メチルジプロピルトリブチルナフタレン、エチルプロピルブチルナフタレン、ジエチルプロピルブチルナフタレン、エチルジプロピルブチルナフタレン、エチルプロピルジブチルナフタレン、ジエチルプロピルジブチルナフタレン、エチルジプロピルジブチルナフタレン、エチルプロピルトリブチルナフタレン、ジエチルプロピルトリブチルナフタレン、エチルジプロピルトリブチルナフタレン等が挙げられ、これらの化合物において、メチル基、エチル基、プロピル基、ブチル基は、ナフタレン環上のどの位置に付加していてもよい。またこれらのアルキルナフタレン化合物は、単独であっても、２種以上が混合したものであってもよい。
【０００７】
なお、このアルキルナフタレン化合物には、上記化合物以外にも、他の有機化合物、例えば、ベンゼン、ナフタレン、インダン、インデン、ビフェニルあるいはこれらの環にアルキル基等が付加した化合物が混合していても特に支障とはならない。しかし、本発明の顕著な効果のためには上記沸点範囲１５０〜４５０℃のアルキルナフタレン化合物が５０重量％以上、好ましくは７０重量％以上、特に好ましくは９０重量％以上含まれているものがよい。
【０００８】
本発明にいうアルキルナフタレン化合物は、石油タール油中やナフサ、灯油等の留分を接触改質した生成油中に含まれるメチルナフタレン、ジメチルナフタレンあるいはエチルナフタレン等を蒸留操作等により分離、回収し、これらをプロピル化することにより簡便に得ることができる。
【０００９】
一方、本発明にいう脂肪族化合物は、沸点範囲が１５０〜４５０℃のノルマルパラフィン、イソパラフィン、ナフテンなどからなる化合物である。これらの化合物は、単品で用いても良いが、２種以上混合したものを用いても良い。
【００１０】
この脂肪族化合物は、アスファルトピッチ、樹脂やワックス類に対する溶解力は低いが、浸透力が高いため、光学部品からアスファルトピッチ等を剥がす能力が大きい。
【００１１】
なお、この脂肪族化合物としては、特には、浸透力が非常に強く、しかも臭気が非常に弱い、ノルマルパラフィン、特には炭素数が９〜１８のノルマルパラフィンを用いることが好ましい。
【００１２】
本発明の洗浄剤は、上記アルキルナフタレン化合物と脂肪族化合物を、重量比で、３：７〜７：３の範囲で混合した溶剤であり、これにより、アスファルトピッチ、樹脂やワックス類に対する溶解力が高く、しかも浸透力も強く、先ず、光学部品からアスファルトピッチ等を剥がし、次いで、これらを溶解、除去する能力に優れ、洗浄スピードが速い洗浄剤としたものである。上記アルキルナフタレン化合物：脂肪族化合物の重量比が３：７の比より、アルキルナフタレン化合物の割合が小さいと、汚れが完全に除去されず、また逆に、アルキルナフタレン化合物：脂肪族化合物の重量比が７：３の比より、アルキルナフタレン化合物が多いと、洗浄スピードが遅くなる。
【００１３】
本発明の洗浄剤は、上記アルキルナフタレン化合物と脂肪族化合物とを上記比で混合した溶剤を主成分とするもので、本発明の顕著な効果のためには、この溶剤が５０重量％以上、好ましくは７０重量％以上、特に好ましくは９０重量％以上含まれているものがよい。
【００１４】
なお、本発明の光学部品用洗浄剤には、グリコールエーテル類やラクトン類などの溶解助剤、界面活性剤、防腐剤、酸化防止剤、紫外線吸収剤、或いは消泡剤等を添加しても良い。また、乳化剤を添加し、水と混合して使用しても良い。
【００１５】
【実施例】
（洗浄力試験）
表１に示す一般性状及び成分を有するアルキルナフタレン系化合物（比較例１、比較例２、比較例３）、表２に示す一般性状を有する炭素数１１〜１２のノルマルパラフィン（比較例４、比較例５）、比較例３の５重量部と比較例４の５重量部とを混合した洗浄剤（実施例１）、比較例３の３重量部と比較例４の７重量部とを混合した洗浄剤（実施例２）、４−ブチロラクトン（比較例６）を用いて、研磨工程での仮固定用接着剤であるアスファルトピッチおよび保護膜であるアスファルトピッチと塩化ビニールの混合物の付着した光学レンズを、表３に示した温度で、１分間超音波洗浄した。洗浄結果を、次の評価基準で評価し、その結果を表３に示した。
Ａ：汚れの残存が全く認められない。
Ｂ：汚れの残留が僅かに認められる。
Ｃ：汚れの残留がかなり認められる。
Ｄ：汚れがほとんど除去されない。
Ｅ：汚れが全く除去されない。
【００１６】
【表１】
0003582886.tif 000003
【００１７】
【表２】
0003582886.tif 000004
【００１８】
【表３】
0003582886.tif 000005
【００１９】
実施例１および実施例２は、比較例１、比較例２、比較例３、比較例４、比較例５、比較例６に比べて残留汚れの量が少なく、光学部品用洗浄剤として優れていることが分かる。
【００２０】
【発明の効果】
本発明の光学部品用洗浄剤は、塩素系化合物を含まず、研磨、加工する際に表面に付着したアスファルトピッチ、樹脂やワックス類等に対して優れた洗浄力を有するという格別の効果を奏する。